(57)【特許請求の範囲】
【請求項１】
手で把持する把持部から遠い先端側にイカの腕（足）に当接する第１、第２、第３、第４、第５の当接部が設けられ、
前記第１の当接部に前記第２の当接部が、前記第２の当接部に前記第３の当接部が、前記第３の当接部に前記第４の当接部が、前記第４の当接部に前記第５の当接部が、それぞれ隣接し、
前記第１の当接部と前記第２の当接部との間に第１のスリットが、前記第２の当接部と前記第３の当接部との間に第２のスリットが、前記第３の当接部と前記第４の当接部との間に第３のスリットが、前記第４の当接部と前記第５の当接部との間に第４のスリットが、それぞれ形成され、
前記第１の当接部の起端部と前記第２の当接部の起端部と前記第３の当接部の起端部と前記第４の当接部の起端部と前記第５の当接部の起端部が第１の接続部で接続され、
前記第２の当接部の起端部から遠い前記第２の当接部の先端部又は前記第２の当接部の先端部の中途が前記イカの腕（足）に突き刺さらないように前記第１の当接部及び前記第３の当接部より上方に位置し、
前記第４の当接部の起端部から遠い前記第４の当接部の先端部又は前記第４の当接部の先端部の中途が前記イカの腕（足）に突き刺さらないように前記第３の当接部及び前記第５の当接部より上方に位置している
ことを特徴とするイカの吸盤除去具。
【請求項２】
手で把持する把持部から遠い先端側にイカの腕（足）に当接する第１、第２、第３の当接部が設けられ、
前記第１の当接部に前記第２の当接部が、前記第２の当接部に前記第３の当接部が、それぞれ隣接し、
前記第１の当接部と前記第２の当接部との間に第１のスリットが、前記第２の当接部と前記第３の当接部との間に第２のスリットが、それぞれ形成され、
前記第１の当接部の起端部と前記第２の当接部の起端部と前記第３の当接部の起端部とが第１の接続部で接続され、
前記第２の当接部の起端部から遠い前記第２の当接部の先端部又は前記第２の当接部の先端部の中途が前記イカの腕（足）に突き刺さらないように前記第１の当接部及び前記第３の当接部より上方に位置している
ことを特徴とするイカの吸盤除去具。
【請求項３】
少なくとも、第１の当接部の起端部から遠い側の端部と第３の当接部の起端部から遠い側の端部と第５の当接部の起端部から遠い側の端部が第２の接続部で接続されている
ことを特徴とする請求項１記載のイカの吸盤除去具。
【請求項４】
少なくとも、第１の当接部の起端部から遠い側の端部と第３の当接部の起端部から遠い側の端部が第２の接続部で接続されている
ことを特徴とする請求項２記載のイカの吸盤除去具。
【請求項５】
第１の接続部の第１の当接部の起端部及び第３の当接部の起端部から遠い側の端部の先端に鱗取り用の凹凸部を形成する
ことを特徴とする請求項１又は請求項２記載のイカの吸盤除去具。
【請求項６】
第２の接続部の第１の当接部の起端部及び第３の当接部の起端部から遠い側の端部の先端に鱗取り用の凹凸部を形成する
ことを特徴とする請求項３又は請求項４記載のイカの吸盤除去具。
【請求項７】
手で把持する把持部から遠い先端側に少なくとも、イカの腕（足）に当接する第１、第２、第３の当接部が設けられ、
前記第１の当接部に前記第２の当接部が、前記第２の当接部に前記第３の当接部が、それぞれ隣接し、
前記第１の当接部と前記第２の当接部との間に第１のスリットが、前記第２の当接部と前記第３の当接部との間に第２のスリットが、それぞれ形成され、
前記第１の当接部の起端部と前記第２の当接部の起端部と前記第３の当接部の起端部が第１の接続部で接続され、
前記第２の当接部の起端部から遠い前記第２の当接部の先端部又は前記先端部の中途が前記イカの腕（足）に突き刺さらないように前記第１の当接部及び前記第３の当接部より上方に位置しているものであり、
前記イカの腕（足）に前記第１、第２、第３の当接部を当接させ、前記第１のスリット及び前記第２のスリットの長手方向を前記イカの腕（足）の長手方向に沿って移動させて、前記第１のスリット及び前記第２のスリットの長手方向の縁部により、前記イカの腕（足）の吸盤を除去する
ことを特徴とするイカの吸盤除去方法。
【発明の詳細な説明】
【技術分野】
【０００１】
本発明は、イカの吸盤除去具及びイカの吸盤除去方法に係り、特に、イカの吸盤を容易に除去できるイカの吸盤除去具及びイカの吸盤除去方法に関する。
【背景技術】
【０００２】
従来、イカの吸盤は、例えば、吸盤全体に満遍なく塩をふりかけ、その後、塩をげそにこすりつけるようにして、吸盤を落とすようにしている（特許文献参照）。
【先行技術文献】
【特許文献】
【０００３】
【特許文献１】https://www.cotogoto.jp/blog/2018/12/kihon_ika_sabaku.html
【発明の概要】
【発明が解決しようとする課題】
【０００４】
ところが、上記のイカの吸盤除去にあっては、多くのイカを処理する際、時間と作業手間を要するとともに、塩を洗い流す作業をも伴うという問題点があった。
【０００５】
本発明は、上記問題点を除去するようにしたイカの吸盤除去具及びイカの吸盤除去方法を提供することを目的とする。
【課題を解決するための手段】
【０００６】
請求項１記載のイカの吸盤除去具は、手で把持する把持部から遠い先端側にイカの腕（足）に当接する第１、第２、第３、第４、第５の当接部が設けられ、前記第１の当接部に前記第２の当接部が、前記第２の当接部に前記第３の当接部が、前記第３の当接部に前記第４の当接部が、前記第４の当接部に前記第５の当接部が、それぞれ隣接し、前記第１の当接部と前記第２の当接部との間に第１のスリットが、前記第２の当接部と前記第３の当接部との間に第２のスリットが、前記第３の当接部と前記第４の当接部との間に第３のスリットが、前記第４の当接部と前記第５の当接部との間に第４のスリットが、それぞれ形成され、前記第１の当接部の起端部と前記第２の当接部の起端部と前記第３の当接部の起端部と前記第４の当接部の起端部と前記第５の当接部の起端部が第１の接続部で接続され、前記第２の当接部の起端部から遠い前記第２の当接部の先端部又は前記第２の当接部の先端部の中途が前記イカの腕（足）に突き刺さらないように前記第１の当接部及び前記第３の当接部より上方に位置し、前記第４の当接部の起端部から遠い前記第４の当接部の先端部又は前記第４の当接部の先端部の中途が前記イカの腕（足）に突き刺さらないように前記第３の当接部及び前記第５の当接部より上方に位置しているものである。
【０００７】
また、請求項２記載のイカの吸盤除去具は、手で把持する把持部から遠い先端側にイカの腕（足）に当接する第１、第２、第３の当接部が設けられ、前記第１の当接部に前記第２の当接部が、前記第２の当接部に前記第３の当接部が、それぞれ隣接し、前記第１の当接部と前記第２の当接部との間に第１のスリットが、前記第２の当接部と前記第３の当接部との間に第２のスリットが、それぞれ形成され、前記第１の当接部の起端部と前記第２の当接部の起端部と前記第３の当接部の起端部とが第１の接続部で接続され、前記第２の当接部の起端部から遠い前記第２の当接部の先端部又は前記第２の当接部の先端部の中途が前記イカの腕（足）に突き刺さらないように前記第１の当接部及び前記第３の当接部より上方に位置しているものである。
【０００８】
また、請求項３記載のイカの吸盤除去具は、請求項１記載のイカの吸盤除去具において、少なくとも、第１の当接部の起端部から遠い側の端部と第３の当接部の起端部から遠い側の端部と第５の当接部の起端部から遠い側の端部が第２の接続部で接続されているものである。
【０００９】
また、請求項４記載のイカの吸盤除去具は、請求項２記載のイカの吸盤除去具において、少なくとも、第１の当接部の起端部から遠い側の端部と第３の当接部の起端部から遠い側の端部が第２の接続部で接続されているものである。
【００１０】
また、請求項５記載のイカの吸盤除去具は、請求項１又は請求項２記載のイカの吸盤除去具において、第１の接続部の第１の当接部の起端部及び第３の当接部の起端部から遠い側の端部の先端に鱗取り用の凹凸部を形成するものである。
【００１１】
また、請求項６記載のイカの吸盤除去具は、請求項３又は請求項４記載のイカの吸盤除去具において、第２の接続部の第１の当接部の起端部及び第３の当接部の起端部から遠い側の端部の先端に鱗取り用の凹凸部を形成するものである。
【００１２】
また、請求項７記載のイカの吸盤除去方法は、手で把持する把持部から遠い先端側に少なくとも、イカの腕（足）に当接する第１、第２、第３の当接部が設けられ、前記第１の当接部に前記第２の当接部が、前記第２の当接部に前記第３の当接部が、それぞれ隣接し、前記第１の当接部と前記第２の当接部との間に第１のスリットが、前記第２の当接部と前記第３の当接部との間に第２のスリットが、それぞれ形成され、前記第１の当接部の起端部と前記第２の当接部の起端部と前記第３の当接部の起端部が第１の接続部で接続され、前記第２の当接部の起端部から遠い前記第２の当接部の先端部又は前記先端部の中途が前記イカの腕（足）に突き刺さらないように前記第１の当接部及び前記第３の当接部より上方に位置しているものであり、前記イカの腕（足）に前記第１、第２、第３の当接部を当接させ、前記第１のスリット及び前記第２のスリットの長手方向を前記イカの腕（足）の長手方向に沿って移動させて、前記第１のスリット及び前記第２のスリットの長手方向の縁部により、前記イカの腕（足）の吸盤を除去するものである。
【発明の効果】
【００１３】
請求項１記載のイカの吸盤除去具によれば、把持部を手で把持し、２本の並設したイカの腕（足）に第１、第２、第３、第４、第５の当接部を当接させ、第１、第２、第３、第４のスリットをイカの腕（足）の長手方向に沿って移動すれば、並設した１本のイカの腕（足）に２列に並んだ吸盤を第１、第２のスリットの縁部で、並設した他の１本のイカの腕（足）に２列に並んだ吸盤を第３、第４のスリットの縁部で、簡易且つ迅速に除去すると共に、前記第２の当接部の起端部から遠い前記第２の当接部の先端部又は前記第２の当接部の先端部の中途が前記イカの腕（足）に突き刺さらないように前記第１の当接部及び前記第３の当接部より上方に位置し、また、前記第４の当接部の起端部から遠い前記第４の当接部の先端部又は前記第４の当接部の先端部の中途が前記イカの腕（足）に突き刺さらないように前記第３の当接部及び前記第５の当接部より上方に位置しているため、吸盤除去中にイカの腕（足）を切断することを防ぐことができる。
【００１４】
また、請求項２記載のイカの吸盤除去具によれば、把持部を手で把持し、１本のイカの腕（足）に第１、第２、第３の当接部を当接させ、第１、第２のスリットをイカの腕（足）の長手方向に沿って移動すれば、並設した１本のイカの腕（足）に２列に並んだ吸盤を第１、第２のスリットの縁部で、簡易且つ迅速に除去すると共に、前記第２の当接部の先端部又は前記第２の当接部の先端部の中途が前記イカの腕（足）に突き刺さらないように前記第１の当接部及び前記第３の当接部より上方に位置しているため、吸盤除去中にイカの腕（足）を切断することを防ぐことができる。
【００１５】
また、請求項３記載のイカの吸盤除去具によれば、上述した請求項１記載の発明の効果に加え、少なくとも、第１の当接部の起端部から遠い側の端部と第３の当接部の起端部から遠い側の端部と第５の当接部の起端部から遠い側の端部が第２の接続部で接続されているため、第１の当接部の起端部から遠い側の端部（先端）、第３の当接部の起端部から遠い側の端部（先端）、第５の当接部の起端部から遠い側の端部（先端）がそれぞれむき出しとならず、安全であると共に、第１、第２、第３、第４のスリットを補強して強度を高めることができる。
【００１６】
また、請求項４記載のイカの吸盤除去具によれば、上述した請求項２記載の発明の効果に加え、少なくとも、第１の当接部の起端部から遠い側の端部と第３の当接部の起端部から遠い側の端部が第２の接続部で接続されているため、第１の当接部の起端部から遠い側の端部（先端）、第３の当接部の起端部から遠い側の端部（先端）がそれぞれむき出しとならず、安全であると共に、第１、第２のスリットを補強して強度を高めることができる。
【００１７】
また、請求項５記載のイカの吸盤除去具によれば、上述した請求項１又は請求項２記載の発明の効果に加え、第１の接続部の第１の当接部の起端部及び第３の当接部の起端部から遠い側の端部の先端に鱗取り用の凹凸部を形成するため、イカの吸盤除去具に鱗取り用の機能を付加することができる。
【００１８】
また、請求項６記載のイカの吸盤除去具によれば、上述した請求項３又は請求項４記載の発明の効果に加え、第２の接続部の第１の当接部の起端部及び第３の当接部の起端部から遠い側の端部の先端に鱗取り用の凹凸部を形成するため、イカの吸盤除去具に鱗取り用の機能を付加することができる。
【００１９】
また、請求項７記載のイカの吸盤除去方法によれば、１本のイカの腕（足）に第１、第２、第３の当接部を当接させ、第１、第２のスリットをイカの腕（足）の長手方向に移動すれば、１本のイカの腕（足）に２列に並んだ吸盤を第１、第２のスリットの縁部で簡易且つ迅速に除去すると共に、第２の当接部の先端部又は前記先端部の中途が前記イカの腕（足）に突き刺さらないように第１の当接部及び第３の当接部より上方に位置しているため、吸盤除去中にイカの腕（足）を切断することを防ぐことができる。
【図面の簡単な説明】
【００２０】
【図１】図１は、本願発明の一実施例のイカの吸盤除去具を斜め上方から撮影した写真である。
【図２】図２は、図１のイカの吸盤除去具の吸盤除去対象のイカの腕（足）を撮影した写真である。
【図３】図３は、図１のイカの吸盤除去具の使用状態を撮影した写真である。
【図４】図４は、図３を近接して撮影した写真である。
【図５】図５は、図４のイカの吸盤除去具をイカの腕（足）の先端側へ移動した状態を撮影した写真である。
【図６】図６は、図１のイカの吸盤除去具を正面側から撮影した写真である。
【図７】図７は、図６のイカの吸盤除去具の一部を平面側から撮影した写真である。
【図８】図８は、図７のイカの吸盤除去具を底面側から撮影した写真である。
【図９】図９は、図６のイカの吸盤除去具を左側面側から撮影した写真である。
【図１０】図１０は、図９のイカの吸盤除去具を斜め上方から撮影した写真である。
【図１１】図１１は、図１のイカの吸盤除去具と異なる他の実施例のイカの吸盤除去具を正面側から撮影した写真である。
【図１２】図１２は、図１１のイカの吸盤除去具の一部を平面側から撮影した写真である。
【図１３】図１３は、図１２のイカの吸盤除去具を底面側から撮影した写真である。
【図１４】図１４は、図１３のイカの吸盤除去具を左側面側から撮影した写真である。
【図１５】図１５は、図１４のイカの吸盤除去具を斜め上方から撮影した写真である。
【発明を実施するための形態】
【００２１】
本発明の一実施例のイカの吸盤除去具及びイカの吸盤除去方法を図面（図１乃至図１５）を参照して説明する。
イカには、図２に示すように、１０本のイカの腕（足）の内側には吸盤が並び、この吸盤にはスパイクのような歯の付いた角質の環があり、食する場合、硬いため、吸盤を除去する必要がある。
【００２２】
（図１乃至図１０）
図１に示すKはイカの吸盤を除去するイカの吸盤除去具で、イカの吸盤除去具Kは、図７に示すように、手で把持する把持部１０から遠い先端側にイカの腕（足）に当接する第１、第２、第３、第４、第５の当接部１、２、３、４、５が設けられている。
第１の当接部１に第２の当接部２が、第２の当接部２に第３の当接部３が、第３の当接部３に第４の当接部４が、第４の当接部４に第５の当接部５が、それぞれ隣接している。
【００２３】
また、第１の当接部１と第２の当接部２との間に第１のスリットＳ１が、第２の当接部２と第３の当接部３との間に第２のスリットＳ２が、第３の当接部３と第４の当接部４との間に第３のスリットＳ３が、第４の当接部４と第５の当接部５との間に第４のスリットＳ４が、それぞれ形成されている。
【００２４】
また、図７、図８、図１０に示すように、第１の当接部１の起端部と第２の当接部２の起端部と第３の当接部３の起端部と第４の当接部４の起端部と第５の当接部５の起端部が第１の接続部６で接続され、第１の当接部１の起端部から遠い側の端部と第２の当接部２の起端部から遠い側の端部と第３の当接部３の起端部から遠い側の端部と第４の当接部４の起端部から遠い側の端部と第５の当接部５の起端部から遠い側の端部が第２の接続部７で接続されている。
【００２５】
このように、 第１、第２、第３、第４、第５の当接部１、２、３、４、５の端部が第１、第２の接続部６，７で接続されているため、第１の当接部１の起端部から遠い側の端部（先端）、第２の当接部２の起端部から遠い側の端部（先端）、第３の当接部３の起端部から遠い側の端部（先端）、第４の当接部４の起端部から遠い側の端部（先端）、第５の当接部５の起端部から遠い側の端部（先端）がそれぞれむき出しとならず、安全であると共に、第１、第２、第３、第４のスリットＳ１、Ｓ２、Ｓ３、Ｓ４を補強して強度を高めることができる。
【００２６】
そして、図１０に示すように、第２の当接部２の起端部から遠い第２の当接部２の先端部２Ｘの先端部の中途（図５で言えば、２Ｙ）がイカの腕（足）に突き刺さらないように第１の当接部１及び第３の当接部３より上方に位置し、また、第４の当接部４の起端部から遠い第４の当接部４の先端部４Ｘの中途（図５で言えば、４Ｙ）が前記イカの腕（足）に突き刺さらないように第３の当接部３及び第５の当接部５より上方に位置している。
【００２７】
なお、少なくとも、第１の当接部１の起端部から遠い側の端部と第３の当接部３の起端部から遠い側の端部と第５の当接部５の起端部から遠い側の端部が第２の接続部７で接続されていれば良い。
【００２８】
従って、上述したイカの吸盤除去具（イカの吸盤除去方法）Kによれば、把持部１０を手で把持し、２本の並設したイカの腕（足）に第１、第２、第３、第４、第５の当接部１、２、３、４、５を当接させ、第１、第２、第３、第４のスリットＳ１、Ｓ２、Ｓ３、Ｓ４内にイカの吸盤を取り込むようように、第１、第２、第３、第４のスリットＳ１、Ｓ２、Ｓ３、Ｓ４をイカの腕（足）の長手方向に沿って移動すれば、並設した１本のイカの腕（足）に２列に並んだ吸盤を第１、第２のスリットＳ１、Ｓ２の縁部で、並設した他の１本のイカの腕（足）に２列に並んだ吸盤を第３、第４のスリットＳ３、Ｓ４の縁部で、簡易且つ迅速に除去すると共に、第２の当接部２の先端部２１Ｘの中途（中途は、例えば、図９、図１０の２Ｙ）及び第４の当接部４の先端部４Ｘの中途（中途は、例えば、図１０の４Ｙ）が前記イカの腕（足）に突き刺さらないように第１の当接部１及び第３の当接部３より、第３の当接部３及び第５の当接部５より、それぞれ上方に位置しているため、吸盤除去中にイカの腕（足）を切断することを防ぐことができる。
【００２９】
なお、図示しないが、第１の接続部６の上端部（例えば、図１の６Ａから６Ｂに至る部位）及び/又は第２の接続部７の上端部（例えば、図１の７Ａから７Ｂに至る部位）に鱗取り用の凹凸部（図示せず）を形成しても良い。上述したイカの吸盤除去具Kに鱗取り用の機能を付加することができる。
【００３０】
上述した実施例においては、２本の並設したイカの腕（足）の吸盤を除去したが、本願発明は、これに限らず、１本の並設したイカの腕（足）の吸盤を除去するようにしても良い。
【００３１】
即ち、かかる場合のイカの吸盤除去具Kは、手で把持する把持部１０から遠い先端側に少なくとも、イカの腕（足）に当接する第１、第２、第３の当接部１，２，３が設けられ、第１の当接部１に第２の当接部２が、第２の当接部２に第３の当接部３が、それぞれ隣接し、第１の当接部１と第２の当接部２との間に第１のスリットＳ１が、第２の当接部２と第３の当接部３との間に第２のスリットＳ２が、それぞれ形成され、第１の当接部１の起端部と第２の当接部２の起端部と第３の当接部３の起端部が第１の接続部６で接続され、第２の当接部２の起端部から遠い第２の当接部２の先端部２Ｘの中途が前記イカの腕（足）に突き刺さらないように第１の当接部１及び第３の当接部３より上方に位置している。
【００３２】
そして、図４、図５に示すように、前記イカの腕（足）に第１、第２、第３の当接部１，２，３を当接させ、第１、第２、第３、第４のスリットＳ１、Ｓ２、Ｓ３、Ｓ４内にイカの吸盤を取り込むようように、第１のスリットＳ１及び第２のスリットＳ２の長手方向を前記イカの腕（足）の長手方向に沿って移動させて、第１のスリットＳ１及び第２のスリットＳ２の長手方向の縁部により、前記イカの腕（足）の吸盤を除去することができる。
【００３３】
この場合のイカの吸盤除去具（イカの吸盤除去方法）Kによれば、１本の前記イカの腕（足）に前記第１、第２、第３の当接部１，２，３を当接させ、第１、第２のスリットＳ１，Ｓ２をイカの腕（足）の長手方向に移動すれば、１本のイカの腕（足）に２列に並んだ吸盤を第１、第２のスリットＳ１，Ｓ２の縁部で簡易且つ迅速に除去すると共に、第２の当接部２の先端部２Ｘの中途が前記イカの腕（足）に突き刺さらないように第１の当接部１及び第３の当接部３より上方に位置しているため、吸盤除去中にイカの腕（足）を切断することを防ぐことができる。
【００３４】
（図１１乃至図１５）
上述した図１乃至図１０のイカの吸盤除去具Kの第２の当接部２の起端部から遠い第２の当接部２の先端部２Ｘの先端部の中途（図５で言えば、２Ｙ）がイカの腕（足）に突き刺さらないように第１の当接部１及び第３の当接部３より上方に位置し、また、第４の当接部４の起端部から遠い第４の当接部４の先端部４Ｘの中途（図５で言えば、４Ｙ）が前記イカの腕（足）に突き刺さらないように第３の当接部３及び第５の当接部５より上方に位置しているが、
本願発明にあっては、これに限らず、図１１乃至図１５に示すように、第２の当接部２の起端部から遠い第２の当接部２の先端部２Ｘ及び第４の当接部４の起端部から遠い第４の当接部４の先端部４Ｘを第２の接続部７で接続しないと共に、第２の当接部２の起端部から遠い第２の当接部２の先端部２Ｘが前記イカの腕（足）に突き刺さらないように第１の当接部１及び第３の当接部３より上方に位置し、第４の当接部４の起端部から遠い第４の当接部４の先端部４Ｘが前記イカの腕（足）に突き刺さらないように第３の当接部３及び第５の当接部５より上方に位置しているようにしても良い。
なお、図１１乃至図１５記載のイカの吸盤除去具Kにあっては、図１乃至図１０と同一部分に同一符号を付して、その説明を省略する。
【００３５】
また、上述した実施例のイカの吸盤除去具Kにあっては、図１２に示すように、第１の当接部１の起端部と第２の当接部２の起端部と第３の当接部３の起端部と第４の当接部４の起端部と第５の当接部５の起端部が第１の接続部６で接続され、第１の当接部１の起端部から遠い側の端部と第３の当接部３の起端部から遠い側の端部と第５の当接部５の起端部から遠い側の端部が第２の接続部７で接続されているが、
図示しないが、例えば、第１、第２のスリットＳ１，Ｓ２の場合、少なくとも、第１の当接部１の起端部から遠い側の端部と第３の当接部３の起端部から遠い側の端部が第２の接続部７で接続されていれば良い。また、場合により、第２の接続部７を省略しても良い。
【符号の説明】
【００３６】
Ｋ        イカの吸盤除去具
１        第１の当接部
２        第２の当接部
３        第３の当接部
４        第４の当接部
５        第５の当接部
Ｓ１      第１のスリット
Ｓ２      第２のスリット
Ｓ３      第３のスリット
Ｓ４      第４のスリット
２Ｘ      第２の当接部の先端部
４Ｘ      第４の当接部２の先端部
【要約】
【課題】
本発明の目的は、イカの吸盤を容易に除去できるイカの吸盤除去具及びイカの吸盤除去方法を提供するものである。
【解決手段】
イカの吸盤除去具Ｋは、手で把持する把持部１０から遠い先端側にイカの腕（足）に当接する第１、第２、第３、第４、第５の当接部１、２、３、４、５が設けられ、第１の当接部１に第２の当接部２が、第２の当接部２に第３の当接部３が、第３の当接部３に第４の当接部４が、第４の当接部４に第５の当接部５が、それぞれ隣接し、第１の当接部１と第２の当接部２との間に第１のスリットＳ１が、第２の当接部２と第３の当接部３との間に第２のスリットＳ２が、第３の当接部３と第４の当接部４との間に第３のスリットＳ３が、第４の当接部４と第５の当接部５との間に第４のスリットＳ４が、それぞれ形成され、第１の当接部１の起端部と第２の当接部２の起端部と第３の当接部３の起端部と第４の当接部４の起端部と第５の当接部５の起端部が第１の接続部６で接続され、第２の当接部２の起端部から遠い第２の当接部２の先端部２Ｘ又は第２の当接部２の先端部２Ｘの中途が前記イカの腕（足）に突き刺さらないように第１の当接部１及び第３の当接部３より上方に位置しているものであり、第４の当接部４の起端部から遠い第４の当接部４の先端部４Ｘ又は第４の当接部４の先端部４Ｘの中途が前記イカの腕（足）に突き刺さらないように第３の当接部３及び第５の当接部５より上方に位置しているものである。
【選択図】図１【図１】
0006913984.tif 000002
【図２】
0006913984.tif 000003
【図３】
0006913984.tif 000004
【図４】
0006913984.tif 000005
【図５】
0006913984.tif 000006
【図６】
0006913984.tif 000007
【図７】
0006913984.tif 000008
【図８】
0006913984.tif 000009
【図９】
0006913984.tif 000010
【図１０】
0006913984.tif 000011
【図１１】
0006913984.tif 000012
【図１２】
0006913984.tif 000013
【図１３】
0006913984.tif 000014
【図１４】
0006913984.tif 000015
【図１５】
0006913984.tif 000016